(57)【要約】【課題】設置のために要するコストを極力低減して構成できる遊技機設置島を提供すること。【解決手段】所定数の遊技機を設置するための設置部を有する躯体ユニット６０を複数設置することにより構成される遊技機設置島であって、間隔Ｌ６を設けて隣接配置された各躯体ユニット６０，６０に固定される躯体間遊技機設置部１３０を有する。【選択図】  図１１
2008220589.tif 000002
【特許請求の範囲】
【請求項１】
所定数の遊技機を設置するための設置部を有する躯体ユニットを複数設置することにより構成される遊技機設置島であって、
間隔を設けて隣接配置された各躯体ユニットに固定される躯体間遊技機設置部を有する、
ことを特徴とする遊技機設置島。
【請求項２】
前記躯体ユニットを長手方向に向けて摺動自在とするレール部材をさらに含む、
ことを特徴とする請求項１に記載の遊技機設置島。
【請求項３】
前記遊技機に対して遊技媒体を供給する供給樋を配設するための上部ユニットと、
該上部ユニットを設置するための上部ユニット設置部材と、
をさらに含み、
前記上部ユニット設置部材は、並べて設置された躯体ユニットの上部に横架されている、
ことを特徴とする請求項１または２に記載の遊技機設置島。
【請求項４】
前記上部ユニット設置部材は、前記上部ユニットを長手方向に向けて摺動自在とするレール状に形成されている、
ことを特徴とする請求項３に記載の遊技機設置島。
【請求項５】
前記躯体ユニットは、互いに長手方向に対向して配置される第１支柱及び第２支柱を有し、
前記第１支柱は、前記第２支柱に向けて延設される連結部を有し、
前記第２支柱は、前記第１支柱に向けて延設され、前記第１支柱の連結部に重ね合わせた状態で連結される被連結部を有し、
前記連結部と前記被連結部との重ね合わせ幅を変更可能に構成されている、
ことを特徴とする請求項１〜４のいずれかに記載の遊技機設置島。
【請求項６】
前記第１支柱及び前記第２支柱は、
前記遊技機設置島の長手方向に対して直交する幅方向に対向して配置される第１フレーム及び第２フレームから構成され、
前記第１フレームは、前記第２フレームに向けて延設されるフレーム連結部を有し、
前記第２フレームは、前記第１フレームに向けて延設され、前記フレーム連結部に重ね合わせた状態で連結される被フレーム連結部を有し、
前記フレーム連結部と前記被フレーム連結部との重ね合わせ幅を変更可能に構成されている、
ことを特徴とする請求項５に記載の遊技機設置島。
【請求項７】
所定数の遊技機を設置するための設置部を有する躯体ユニットを複数設置することにより構成される遊技機設置島の施工方法であって、
前記躯体ユニットを、隣り合う躯体ユニットとの間に間隔を設けて設置する第１の工程と、
前記第１の工程にて設置された隣接する各躯体ユニットに躯体間遊技機設置部を固定する第２の工程と、
を含む、
ことを特徴とする遊技機設置島の施工方法。
【発明の詳細な説明】
【技術分野】
【０００１】
本発明は、所定数の遊技機を設置するための設置部を有する躯体ユニットを複数設置することにより構成される遊技機設置島及び該遊技機設置島の施工方法に関する。
【背景技術】
【０００２】
従来、この種の遊技機設置島としては、遊技機を取り付け可能なフレームユニットを、床面に敷設したレールの上に並べて配置したもの等があった（例えば、特許文献１参照）。
【０００３】
【特許文献１】特開平１０−１５２１５号公報（第２頁、第１図）
【発明の開示】
【発明が解決しようとする課題】
【０００４】
しかしながら、上記特許文献１に記載の遊技機設置島にあっては、設置する遊技機に対応した数のフレームユニットが必要となり、フレームユニットの配置数が多くなるため、遊技機設置島を設置するためのコストが嵩むという問題があった。
【０００５】
本発明は、このような問題点に着目してなされたものであり、設置のために要するコストを極力低減して構成できる遊技機設置島を提供することを目的とする。
【課題を解決するための手段】
【０００６】
上記課題を解決するために、本発明の請求項１に記載の遊技機設置島は、
所定数の遊技機（パチンコ機２）を設置するための設置部（支持管７２，左右連結管７０／繕板１３，固定板１３ａ）を有する躯体ユニット（下部ユニット６０）を複数設置することにより構成される遊技機設置島（１）であって、
間隔（Ｌ６）を設けて隣接配置された各躯体ユニットに固定される躯体間遊技機設置部（腰部ユニット６４）を有する、
ことを特徴としている。
この特徴によれば、設置する遊技機の数に対して、配置する躯体ユニットの数を極力低減できるため、コストを効果的に低減できる。
【０００７】
本発明の請求項２に記載の遊技機設置島は、請求項１に記載の遊技機設置島であって、
前記躯体ユニット（下部ユニット６０）を長手方向に向けて摺動自在とするレール部材（６２，６２）をさらに含む、
ことを特徴としている。
この特徴によれば、各躯体ユニットの長手方向の設置位置調整作業等を、レール部材に沿って躯体ユニットを摺動させることで簡単に行うことができる。
【０００８】
本発明の請求項３に記載の遊技機設置島は、請求項１または２に記載の遊技機設置島であって、
前記遊技機（パチンコ機２）に対して遊技媒体（パチンコ球）を供給する供給樋（４）を配設するための上部ユニット（６１）と、
該上部ユニットを設置するための上部ユニット設置部材（上部レール６５，６５）と、
をさらに含み、
前記上部ユニット設置部材は、並べて設置された躯体ユニット（下部ユニット６０）の上部に横架されている、
ことを特徴としている。
この特徴によれば、躯体ユニットの長さに応じて上部ユニットの長さを変更する必要がないため、製造コストが低減される。
【０００９】
本発明の請求項４に記載の遊技機設置島は、請求項３に記載の遊技機設置島であって、
前記上部ユニット設置部材（上部レール６５，６５）は、前記上部ユニット（６１）を長手方向に向けて摺動自在とするレール状に形成されている、
ことを特徴としている。
この特徴によれば、躯体ユニットの上部に設置される上部ユニットの長手方向の設置位置調整作業を、上部ユニット設置部材に沿って上部ユニットを摺動させることで簡単に行うことができる。
【００１０】
本発明の請求項５に記載の遊技機設置島は、請求項１〜４のいずれかに記載の遊技機設置島であって、
前記躯体ユニット（下部ユニット６０）は、互いに長手方向に対向して配置される第１支柱（左支柱６６）及び第２支柱（右支柱６７）を有し、
前記第１支柱は、前記第２支柱に向けて延設される連結部（連結管６８）を有し、
前記第２支柱は、前記第１支柱に向けて延設され、前記第１支柱の連結部に重ね合わせた状態（嵌合）で連結される被連結部（被連結管６９）を有し、
前記連結部と前記被連結部との重ね合わせ幅（嵌合深さ）を変更可能に構成されている、
ことを特徴としている。
この特徴によれば、連結部と被連結部との重ね合わせ幅を調整して連結することで、第１支柱と第２支柱との離間幅、つまり躯体ユニットの長手方向の長さを遊技店における遊技機の設置条件に対応した長さとすることができ、このように構成されてなる躯体ユニットを複数設置するだけで、手間をかけずに、かつ、熟練の作業を要することなく、未熟な作業者でも簡単に躯体を構成することができるため、施工現場における作業負担が効果的に軽減される。
【００１１】
本発明の請求項６に記載の遊技機設置島は、請求項５に記載の遊技機設置島であって、
前記第１支柱（左支柱６６）及び第２支柱（右支柱６７）は、
前記遊技機設置島（１）の長手方向に対して直交する幅方向に対向して配置される第１フレーム（前フレーム７４）及び第２フレーム（後フレーム７５）から構成され、
前記第１フレームは、前記第２フレームに向けて延設されるフレーム連結部（フレーム連結管７６）を有し、
前記第２フレームは、前記第１フレームに向けて延設され、前記フレーム連結部に重ね合わせた状態（嵌合）で連結される被フレーム連結部（被フレーム連結管７７）を有し、
前記フレーム連結部と前記被フレーム連結部との重ね合わせ幅（嵌合深さ）を変更可能に構成されている、
ことを特徴としている。
この特徴によれば、フレーム連結部と被フレーム連結部との重ね合わせ幅を調整して連結することで、第１フレームと第２フレームとの離間幅、つまり躯体ユニットの幅方向の長さを遊技店における設置条件に対応した長さに容易に変更できる。
【００１２】
本発明の請求項７に記載の遊技機設置島の施工方法は、
所定数の遊技機（パチンコ機２）を設置するための設置部（支持管７２，左右連結管７０／繕板１３，固定板１３ａ）を有する躯体ユニット（下部ユニット６０、上部ユニット６１）を複数設置することにより構成される遊技機設置島（１）の施工方法であって、
前記躯体ユニット（下部ユニット６０）を、隣り合う躯体ユニットとの間に間隔（Ｌ６）を設けて設置する第１の工程と、
前記第１の工程にて設置された隣接する各躯体ユニットに躯体間遊技機設置部（腰部ユニット６４）を固定する第２の工程と、
を含む、
ことを特徴としている。
この特徴によれば、設置する遊技機の数に対して、配置する躯体ユニットの数を極力低減できるため、コストを効果的に低減できる。
【発明を実施するための最良の形態】
【００１３】
本発明の実施例を以下に説明する。
【実施例】
【００１４】
本発明の実施例を図面に基づいて説明すると、まず図１は、本発明が適用された実施例としての遊技機設置島１の内部構造を示す断面図であり、図２は、図１のＡ−Ａ断面図である。尚、以下の説明において、図１の手前側を遊技機設置島の前側、奥側を後側、左右側を左右（長手）側として説明する。
【００１５】
図１に示されるように、遊技機設置島１は、左右方向に向けて細長に形成されており、その前後面には、遊技機の一例であるパチンコ機２及び該パチンコ機２において遊技に使用する遊技媒体としてのパチンコ球の貸出を実施させる球貸処理機（図示略）が、長手方向（左右方向）に向けて複数列設されている。
【００１６】
遊技機設置島１の略中央上部には、パチンコ球が貯留される上部タンク３が設けられており、この上部タンク３内に貯留されたパチンコ球は、遊技機設置島１内の長手方向両端部に向かってそれぞれ下方に傾斜するように配設された左右の供給樋４に流入するようになっている。これら左右の供給樋４には、流下するパチンコ球を各パチンコ機２に供給するための支流樋５が、供給樋４の前後（球の流下方向に向かって左右）の側板に、流下方向に向かって所定間隔おきに複数配設されており、これら支流樋５に供給されたパチンコ球は、各パチンコ機２の背面に設けられた球タンク６に供給されるようになっている。
【００１７】
左右の供給樋４それぞれの下流側端部には、例えばメンテナンス時等において供給樋４内のパチンコ球を後述する流下溝９Ｌ，９Ｒ内にそれぞれ流出させる球抜き管７が設けられている。尚、通常時にはこの球抜き管７内をパチンコ球が流下しないようになっている。
【００１８】
遊技機設置島１の内部には、パチンコ機２より排出されたアウト球を受け入れて後述する流下溝９Ｌ，９Ｒに排出するアウト球タンク８が、球箱等を載置するための繕板１３の上面に固定されてパチンコ機２を固定するための固定板１３ａ（図２参照）上に、各パチンコ機２に対応するように複数設けられている。尚、各アウト球タンク８からは排出ノズル８ａが下方に向けて延設されており、受け入れた球をこの排出ノズル８ａを介して排出するようになっている。
【００１９】
また、上部タンク３からは、該上部タンク３内部に貯留されるパチンコ球の貯留量が所定量以上となってオーバーフローしたパチンコ球を、後述する流下溝９Ｌ，９Ｒそれぞれに導くオーバーフロー樋１２が左右に向けて延設されているとともに、これら左右のオーバーフロー樋１２の下流側端部からは、オーバーフロー管１８が垂下されている。
【００２０】
左右の流下溝９Ｌ，９Ｒは、図１，図２に示されるように、当該遊技機設置島１の内部前後左右側にそれぞれ配置される木製の側板９ａ〜９ｄ及び底板９ｅにより、上面が開口する横長箱状にそれぞれ形成されており、遊技機設置島１の長手方向の略中央位置に配置される揚送研磨装置２５を挟んでその左右側、つまり遊技機設置島１の左右両側（長手方向の両側）の下部にそれぞれ配置される。
【００２１】
流下溝９Ｌ，９Ｒそれぞれにおける前後の側板９ａ，９ｂ及び底板９ｅは、遊技機設置島１の左右方向に向けて横長に形成されている。底板９ｅは、その上面が遊技機設置島１の長手方向の端部側から中央の揚送研磨装置２５側に向けて下方に傾斜するように配設されており、パチンコ球が流下（移動）する遊技球流路を構成している。
【００２２】
また、この底板９ｅの上面には、該底板９ｅの上面を幅方向にわたり保護するための遊技球流路保護部材５０が、底板９ｅの長手方向に向けて敷設されている。遊技球流路保護部材５０は、硬質の塩化ビニル樹脂材からなり、図２に示されるように、底板９ｅの前後幅方向の側端部、つまりパチンコ球の流下方向に向かって左右側端部にそれぞれ配設される一対の側部樋５１，５２と、該一対の側部樋５１，５２間に配設され、該一対の側部樋５１，５２それぞれの一部に重ね合わせた状態で接続される中央樋５３と、から構成され、該重ね合わせ幅を調整することで幅寸法を変更可能に構成されている。
【００２３】
遊技機設置島１の左側端部には、遊技者が獲得したパチンコ球を計数するための計数装置１５が配設されており、この計数装置１５内に投入されたパチンコ球は、該計数装置１５に設けられている球投入口１５ａから連設された返却路１６を介して、流下溝９Ｌ内に配設された誘導樋１９に流入し、該誘導樋１９により揚送研磨装置２５側まで誘導された後、流下溝９Ｌ内に落下するようになっている。つまり、計数装置１５にて計数された計数済み球は、遊技機設置島１の内部左側に配設された流下溝９Ｌに返却されるようになっている。
【００２４】
誘導樋１９は、図１及び図２に示されるように、所定の前後幅寸法を有するとともに前後幅方向に向けて略水平をなす水平面部１９ａと、該水平面部１９ａにおける前後幅方向の両端側から外方に向けて上方に傾斜するように連設される傾斜面部１９ｂ，１９ｂとが屈曲形成されてなる１枚の金属板からなり、流下溝９Ｌの内部における前後幅方向の中央所定高さ位置に、返却路１６から揚送研磨装置２５側に向けて下方に傾斜するように延設されている。尚、該誘導樋１９の上面には、ゴム製の保護シート（図示略）が敷設されており、流下するパチンコ球との当接や、遊技機設置島１の内部上方から落下してくるパチンコ球（例えばパチンコ機２の球タンク６や供給樋４，オーバーフロー樋１２等から零れ落ちた球等）による誘導樋１９の損傷が防止されている。
【００２５】
また、誘導樋１９の下流側端部は、図１に示されるように流下溝９Ｌ内部における揚送研磨装置２５側に立設された区画板２１まで延設されており、該誘導樋１９上を流下してくる計数球は、流下溝９Ｌ内部における区画板２１よりも上流側に落下されるようになっている。尚、誘導樋１９上を流下してくる計数球は、流下途中または下流側端部に設けられた幅方向を向く球受板（図示略）に衝突すること等により、該水平面部１９ａから傾斜面部１９ｂに乗り上げて該傾斜面部１９ｂの外端縁から落下するようになっている（図４参照）。
【００２６】
流下溝９Ｌ内部における区画板２１よりも上流側に落下した球は、区画板２１の下部に形成された連通口２１ａ（図１参照）を通過して区画板２１よりも下流側に形成される合流部２２内に流入した後、接続管１０を介して揚送研磨装置２５に供給される。
【００２７】
誘導樋１９の前後幅方向の両側方には、図２に示されるように、遊技機設置島１の前後面にそれぞれ配設された各アウト球タンク８から排出されるパチンコ球を回収する回収樋１７，１７が並設されている。回収樋１７，１７は、硬質の塩化ビニル樹脂により樋状に形成されており、流下溝９Ｌの内部における誘導樋１９よりも若干上方位置に、計数装置１５側から揚送研磨装置２５側に向けて下方に傾斜するように配設されており、その下流側端部は区画板２１の上方を越えて合流部２２まで延設されている。
【００２８】
このように、各パチンコ機２からアウト球タンク８を介して排出されるパチンコ球は、回収樋１７，１７を流下して合流部２２内に排出されるため、誘導樋１９を流下する計数球よりも優先して揚送研磨装置２５に供給されるようになっている。
【００２９】
すなわち、流下溝９Ｒは、上述した誘導樋１９や回収樋１７，１７等は配設されておらず、中央の揚送研磨装置２５から端部側に向けて並設される各パチンコ機２からアウト球タンク８を介して排出されるパチンコ球を長手方向にわたり受け入れることができるように構成されており、流下溝９Ｌは、計数装置１５にて計数された計数済み球を長手方向にわたり受け入れることができるように構成されている。
【００３０】
左右の流下溝９Ｌ，９Ｒ内のパチンコ球は、揚送研磨装置２５側に配置される側板９ｃの下部に形成された連通口から流出した後、接続管１０内を流下して揚送研磨装置２５の本体内に流入する。そして、装置内部に設けられたコンベア等の揚送部材（図示略）等により上方に揚送されるとともに、揚送中において図示しない研磨布や研磨ペレット等の研磨部材により研磨されるようになっている。また、揚送・研磨された揚送球は、上部タンク３内上部に配置される排出口３８（図１参照）から上部タンク３内に排出されるようになっている。
【００３１】
これら遊技機設置島１内に配設される供給樋４、支流樋５、オーバーフロー樋１２、回収樋１７，１７、オーバーフロー管１８、誘導樋１９、流下溝９Ｌ，９Ｒ、揚送研磨装置２５とにより、遊技機設置島１内におけるパチンコ球の循環経路が構成されており、これらのうち供給樋４、支流樋５、オーバーフロー樋１２、回収樋１７，１７、誘導樋１９、流下溝９Ｌ，９Ｒは、パチンコ球が移動（本実施例では自然流下）する遊技球流路を構成している。
【００３２】
次に、本実施例の遊技機設置島１の躯体構造について、図３〜図９に基づいて説明する。図３は、遊技機設置島の躯体構造を示す分解斜視図であり、図４は、下部ユニットを示す斜視図であり、図５は、（ａ）は下部ユニットの長さを調整する状況を示す概略図であり、（ｂ）は横フレームの連結状態を示す拡大断面図であり、図６は、下部ユニットの幅寸法を調整する状況を示す概略図であり、（ｂ）は前後フレームの連結状態を示す拡大断面図であり、図７は、（ａ）はレールに対する支柱の固定構造を示す斜視図であり、（ｂ）はレールに対する支柱の固定構造を示す断面図であり、図８は、（ａ）は下部ユニットの腰部に腰部ユニットが装着された状態を示す正面図であり、（ｂ）は（ａ）のＢ−Ｂ断面図であり、図９は、（ａ）は上部ユニットを示す斜視図であり、（ｂ）は上部ユニットの幅寸法を調整する状況を示す側面図である。
【００３３】
本実施例の遊技機設置島１の躯体は、図３に示されるように、遊技店等の床面上に敷設される前後一対のレール部材としての下部レール６２，６２と、該下部レール６２，６２上に立設される躯体ユニットとしての下部ユニット６０と、下部ユニット６０の上部に設置される上部ユニット６１と、から主に構成される。
【００３４】
下部レール６２，６２は、チャンネル状（断面略上向きＣ字形）の金属製レールからなり、遊技店等の床面、すなわち、下部ユニット６０を設置する設置面上にアンカーボルト１２０（図１０（ｃ）参照）等を介して略水平に固設される。
【００３５】
下部ユニット６０は、管状の金属製フレームからなり、遊技機設置島１の下部である腰部及び中間部である設置部を構成するユニットであり、その前後面下部には、木製の扉枠６３及びその上部に固定される繕板１３，固定板１３ａからなる腰部ユニット６４が取り付けられるようになっており、該固定板１３ａの上部、つまり設置部には、パチンコ機２及び球貸処理機（図示略）が設置固定されるようになっている。
【００３６】
上部ユニット６１は、金属製フレーム及び木板により中空箱状に形成され、遊技機設置島１の上部である幕板部を構成するユニットであり、その内部には、主に前述した供給樋４が傾斜状に配設できるようになっている。尚、この上部ユニット６１は、下部ユニット６０の上端に横架される前後一対の上部レール６５，６５上に設置されるようになっている。
【００３７】
下部ユニット６０は、図４に示されるように、互いに長手方向に対向して配置される左支柱６６（第１支柱）及び右支柱６７（第２支柱）と、左支柱６６から右支柱６７に向けて略水平に延設される連結管６８（連結部）及び右支柱６７から左支柱６６に向けて略水平に延設され、左支柱６６の連結管６８内に嵌合した状態、つまり重ね合わせた状態で連結される被連結管６９（被連結部）からなる前後一対の左右連結管７０，７０と、から構成されている。尚、連結管６８及び被連結管６９は、左支柱６６及び右支柱６７それぞれに一端が溶接により固定されている。
【００３８】
左支柱６６及び右支柱６７は、下端が下部レール６２に支持される下支柱７１、下支柱７１の上部に略水平に固定される前後方向を向く前後一対の支持管７２、支持管７２の内側端部から上方に向けて立設される中央支柱７３からなる前後一対の前フレーム７４（第１フレーム）及び後フレーム７５（第２フレーム）と、前フレーム７４から後フレーム７５に向けて略水平に延設されるフレーム連結管７６（フレーム連結部）及び後フレーム７５から第１フレーム７４に向けて略水平に延設され、フレーム連結管７６内に嵌合した状態、つまり重ね合わせた状態で連結されるフレーム被連結管７７（被フレーム連結部）（図６（ｂ）参照）からなる左右一対の前後連結管７８，７８と、から構成されている。尚、下支柱７１、支持管７２、中央支柱７３及びフレーム連結管７６、フレーム被連結管７７は、それぞれ互いに溶接により固定されている。
【００３９】
このように、左支柱６６と右支柱６７とは、連結管６８内に被連結管６９の一部を嵌合した状態で、互いに重なり合う連結部をタッピングネジ８０（図５（ｂ）参照）にて固定することにより、互いに相対移動不能に連結されるようになっている。また、左支柱６６及び右支柱６７それぞれを構成する前後一対の前フレーム７４と後フレーム７５とは、フレーム連結管７６内にフレーム被連結管７７の一部を嵌合した状態で、互いに重なり合う連結部をタッピングネジ８１（図６（ｂ）参照）にて固定することにより、互いに相対移動不能に連結されるようになっている。
【００４０】
すなわち、フレーム連結管７６及びフレーム被連結管７７を介して連結された前後一対の前フレーム７４及び後フレーム７５からなる左支柱６６と右支柱６７とが、連結管６８及び被連結管６９からなる左右連結管７０を介して連結して一体化されることにより、下部ユニット６０が構成される。
【００４１】
詳しくは、左支柱６６及び右支柱６７は、それぞれ前後一対の前フレーム７４及び後フレーム７５により、遊技機設置島１の前後方向（幅方向）に向けて立設されるものであり、これらが長手方向に延びる左右連結管７０を介して互いに連結されることで双方が倒伏しないように起立状態で支持される。すなわち、下部ユニット６０は、左支柱６６の前後の下支柱７１，７１及び右支柱６７の前後の下支柱７１，７１からなる前後左右（４本）の下支柱７１により下部レール６２上に立設支持されるため、安定して設置される。
【００４２】
また、前後の連結管６８と被連結管６９とは、連結管６８に対する被連結管６９の嵌合深さ、すなわち、互いの重ね合わせ幅を調整することで、図５（ａ）に示されるように、左支柱６６と右支柱６７との離間幅、つまり下部ユニット６０の長手方向の長さ寸法を調整できるようになっている。具体的には、図４及び図５（ｂ）に示されるように、連結管６８の上面には、長手方向に向けて所定間隔おきに複数の挿通孔８２が形成されており、左支柱６６と右支柱６７との離間幅を所望の離間幅とした状態で、いずれかの挿通孔８２にタッピングネジ８０を挿通して被連結管６９に螺入することで、連結管６８と被連結管６９とを連結固定できるようになっている。
【００４３】
尚、左支柱６６と右支柱６７との離間幅、つまり下部ユニット６０の長さ寸法は、図５（ａ）に示されるように、下部ユニット６０に設置するパチンコ機２の幅寸法Ｌ１（例えば５２２ｍｍ）、該パチンコ機２に対応して設置される球貸処理機Ｔの幅寸法Ｌ２（例えば４３ｍｍ）と、各球貸処理機Ｔ隣接するパチンコ機２との離間幅寸法Ｌ３（例えば０〜１００ｍｍ）、及び下部ユニット６０の前面及び後面に設置するパチンコ機２及び球貸処理機Ｔの数（本実施例では２台）応じて決定する。
【００４４】
このように、設置する遊技機の種類（例えばパチンコ機２やスロットマシン等（図示略））、球貸処理機Ｔの種類、パチンコ機２の配置間隔等に応じてＬ１〜Ｌ３の幅寸法が遊技店ごとに異なることがあっても、連結管６８に対する被連結管６９の嵌合深さ（連結管６８と被連結管６９との重ね合わせ幅）を変更することで、下部ユニット６０の長さ寸法を調整して対応することができる。
【００４５】
また、左支柱６６及び右支柱６７それぞれのフレーム連結管７６とフレーム被連結管７７とは、フレーム連結管７６に対するフレーム被連結管７７の嵌合深さ、すなわち、互いの重ね合わせ幅を調整することで、図６（ａ）に示されるように、前フレーム７４と後フレーム７５との離間幅、つまり下部ユニット６０の前後幅寸法を調整できるようになっている。具体的には、図６（ｂ）に示されるように、フレーム連結管７６の側面には、長手方向に向けて所定間隔おきに複数の挿通孔８３が形成されており、前フレーム７４と後フレーム７５との離間幅Ｌ４（前後の中央支柱７３，７３の離間幅）を所望の離間幅（例えば１６０〜２１０ｍｍ）とした状態で、いずれかの挿通孔８３にタッピングネジ８１を挿通してフレーム被連結管７７に螺入することで、フレーム連結管７６とフレーム被連結管７７とを連結固定できるようになっている。
【００４６】
このように前フレーム７４及び後フレーム７５との離間幅、つまり下部ユニット６０の幅寸法は、図６（ａ）に示されるように、遊技店における遊技機設置島１の設置スペース状況に応じて応じて決定する。すなわち、遊技機設置島１の設置スペース状況が遊技店ごとに異なることがあっても、フレーム連結管７６に対するフレーム被連結管７７の嵌合深さ（フレーム連結管７６とフレーム被連結管７７との重ね合わせ幅）を変更することで、下部ユニット６０の幅寸法を容易に調整して対応することができる。
【００４７】
次に、下部ユニット６０の下部レール６２に対する支持構造を図７に基づいて説明する。下部ユニット６０は、前後左右の下支柱７１の下端が前後の下部レール６２にそれぞれ摺動自在に支持されるとともに、所定位置にて移動不能に固定できるようになっている。
【００４８】
具体的な構造を図７に基づいて説明すると、前後の下部レール６２，６２は、それぞれ上向きに開口するチャンネル形状に形成され、上面には長溝が長手方向に向けて形成されている。この下部レール６２内には、側面視略下向きコ字形のベース部材８５が端部側から嵌入され、長手方向に移動自在にとされている。尚、ベース部材８５の上板上面には、固定ボルト８６が挿通される固定孔８５ａが形成されているとともに、上板下面における固定孔８５ａに対応する箇所には、固定ボルト８６が螺入される固定ナット８６ａが溶着されている。
【００４９】
一方、下支柱７１の下端には、固定ボルト８６を介してベース部材８５に固定される固定板８７の上面に突設された摺動杆８８が摺動自在に嵌合されている。摺動杆８８の側板には、高さ調整ボルト８９が挿通される調整孔８８ａが形成されているとともに、側板内面における調整孔８８ａに対応する箇所には、高さ調整ボルト８９が螺入される調整ナット８９ａが溶着されている。
【００５０】
下支柱７１における調整孔８８ａに対応する側面には、調整溝９０が下端から上方に向けて所定長さ延設されており、高さ調整ボルト８９が調整ナット８９ａに螺入された状態で下支柱７１を上下動して高さ調整できるようになっている。
【００５１】
また、下支柱７１における調整溝９０の反対側面には、側面視Ｌ字形の支持片９１が溶着されているとともに、該支持片９１の水平片には、挿通孔及びナットにより支持孔９２が形成されており、該支持孔９２に螺入した支持ボルト９３の下端を固定板８７上面に当接させることで、下支柱７１の下降を防止できるようになっている。
【００５２】
下部ユニット６０を下部レール６２における長手方向の所定位置に固定する場合、まず、４本の下支柱７１に対応する４つのベース部材８５を下部レール６２における長手方向の所定位置に配置し、その上面に、各下支柱７１の下端に装着された固定板８７を載置する。次いで、固定ボルト８６を各固定ナット８６ａに緩めに螺入した状態で、下部ユニット６０を下部レール６２の長手方向に摺動させて位置調整を行い、所定の設置位置に配置した状態で、各固定ボルト８６を締め上げることで、下部レール６２の前後の案内片６２ａ，６２ａが固定板８７とベース部材８５とにより上下から強く挟まれ、これにより下部レール６２に対するベース部材８５、つまり下部ユニット６０の長手方向の移動が規制され、所定位置に固定される。
【００５３】
また、各下支柱７１を各固定板８７に対して所定高さ位置に上昇させた状態で、支持孔９２に上方から螺入した上下方向を向く支持ボルト９３の下端を固定板８７の上面に当接し、所定高さ位置に支持する。そして、４本の下支柱７１それぞれの支持ボルト９３を正逆回転させて高さの微調整を行うことで下部ユニット６０の水平をとり、水平がとれたら各高さ調整ボルト８９を調整ナット８９ａに螺入して締め上げる。
【００５４】
これにより、下部ユニット６０は下部レール６２の長手方向の所定位置に固定されるとともに、固定位置において水平をとるための高さ微調整を行うことができる。尚、高さ調整終了後に下部ユニット６０の下部レール６２に対する固定を行うようにしてもよい。
【００５５】
このように構成される下部ユニット６０における下部前後面には、図３及び図８に示されるように、腰部ユニット６４が取り付けられる。腰部ユニット６４は、前述したように木製の扉枠６３と、その上部に一体的に固定された繕板１３，固定板１３ａとからなり、扉枠６３は、木製の棒材により四角枠状に形成される。長手方向の長さ寸法は、左右の下支柱７１，７１の離間幅と同寸となるように、下部ユニット６０の長さ寸法に対応して形成する。
【００５６】
そして、図８（ａ）に示されるように、扉枠６３を左右の下支柱７１，７１間に嵌合し、左右の棒材外面を左右の下支柱７１，７１の内面に当接させるとともに、繕板１３の下面左右端部を左右の支持管７２，７２それぞれの上面に載置した状態で、左右の棒材の内側から下支柱７１にタッピングネジ９４を螺入することで、扉枠６３が下部ユニット６０に固定される。この状態で繕板１３は、支持管７２及び左右連結管７０の上面に載置され、これらにより支持されてパチンコ機２の載置部を構成する。つまり、扉枠６３が下部ユニット６０に固定されることで、該扉枠６３の上部に固定された繕板１３が下部ユニット６０に対して固定される。
【００５７】
そして、下部ユニット６０に対して固定された繕板１３の上面に固定板１３ａが載置され、ビス（図示略）等を介して繕板１３に固定されることで、該固定板１３ａも下部ユニット６０に対して固定され、該固定板１３ａ上にパチンコ機２を設置固定可能となる。従って、繕板１３を介して固定板１３ａを下方から支持する支持管７２，７２及び左右連結管７０は、遊技機を設置するための設置部を構成するものである。
【００５８】
尚、扉枠６３と繕板１３とは、本実施例のように予め組み付けた状態で下部ユニット６０に取り付けてもよいし、あるいは扉枠６３のみを下部ユニット６０に取り付けた後に繕板１３及び固定板１３ａを取り付けるようにしてもよい。
【００５９】
また、下部ユニット６０に取り付けられた扉枠６３の外面には、図８（ｂ）に示される引き扉９５が取り付けられ、下部ユニット６０の内部下方が隠蔽される。
【００６０】
上部ユニット６１は、図９（ａ）に示されるように、長手方向に向けて離間配置される左支持板１００、中支持板１０１、右支持板１０２と、これら支持板１００〜１０２を連結する長手方向に延びる前後一対の上連結板１０３、側部連結板１０４及び下連結板１０５と、から構成される。
【００６１】
左支持板１００、中支持板１０１、右支持板１０２は、それぞれ前後一対の前板１０６及び後板１０７と、前板１０６下部から後板１０７に向けて略水平に延設される上部被連結管１０８及び後板１０７下部から前板１０６に向けて略水平に延設される上部連結管１０９とからなる支持板連結管１１０と、から主に構成されており、上部連結管１０９内に上部被連結管１０８を嵌合した状態で、上部連結管１０９の側面に長手方向に向けて複数形成された調整孔１１１のうちいずれかに図示しないタッピングネジを螺入することで、前板１０６と後板１０７とが連結されるようになっている。
【００６２】
また、連結の際に、上部連結管１０９に対する上部被連結管１０８の嵌合深さ、つまり重ね合わせ幅を変更することで、上部ユニット６１の幅寸法を、前述した下部ユニット６０の幅寸法に対応して容易に変更できるようになっている。
【００６３】
また、各前板１０６及び後板１０７の内側には、供給樋４の下面を支持する横長棒状のブラケット１１２の端部を取り付けるための前後一対の樋支柱１１３，１１３が固着されている。前後の樋支柱１１３，１１３には、上下方向に延びる長溝１１４が形成されており、ブラケット１１２の両端に取り付けた取付ボルト１１５を長溝１１４に挿通して裏面側からナット（図示略）を螺入することで、ブラケット１１２を所定の高さ位置に取り付けることができるようになっている。
【００６４】
このように、上部ユニット６１における前板１０６と後板１０７とは互いに前後に離間して配置しており、両板間に供給樋４を配設することができるようになっている。また、樋支柱１１３，１１３の下端及び支持板連結管１１０の下面は、下連結板１０５の下面よりも上方位置に配置されていることで、左支持板１００、中支持板１０１、右支持板１０２それぞれの下端には下方に開口するガイド凹溝１１６が形成されている。
【００６５】
このガイド凹溝１１６内には、下部ユニット６０における前後それぞれの各中央支柱７３の上端間に横架される、上部ユニット６１を設置するための上部ユニット設置部材としての前後一対の上部レール６５，６５（図３参照）が嵌合されるようになっている。
【００６６】
上部レール６５，６５は、図９（ｂ）に示されるように、チャンネル状（断面略上向きＣ字形）の金属製レールからなり、内部に電源ケーブルや各種通信ケーブル等を長手方向に配線することができるようになっている。また、上部レール６５，６５内部には、下向きコ字形に形成される上部ユニットベース部材１１７（図３参照）が長手方向の端部側から挿入され、長手方向に摺動自在に設けられる。この上部ユニットベース部材１１７の上板には、上部ユニット６１を固定するための固定ボルト１１８が螺入される固定孔１１７ａ（図３参照）が形成されているとともに、前記上板下面における固定孔１１７ａに対応する箇所には、固定ボルト１１８が螺入される固定ナット１１８ａが溶着されている。
【００６７】
一方、左支持板１００、中支持板１０１、右支持板１０２それぞれの樋支柱１１３，１１３の下端にには、固定ボルト１１８が取り付けられる取付孔（図示略）を有する下板（図示略）が設けられている。
【００６８】
このように構成される上部ユニット６１を上部レール６５，６５における長手方向の所定位置に固定する場合、まず、上部レール６５，６５それぞれの長手方向の所定位置に配置した各上部ユニットベース部材１１７と、各支持板１００〜１０２における樋支柱１１３，１１３の下端とが合致するように、上部ユニット６１を上部レール６５，６５上に設置する。この際、各支持板１００〜１０２それぞれの下端に凹設されたガイド凹溝１１６内に前後一対の上部レール６５，６５が嵌合され、これにより上部レール６５，６５に対する上部ユニット６１の前後方向の位置決めが行われるので、各支持板１００〜１０２の下端と各上部ユニットベース部材１１７との位置合わせが容易になるとともに、上部ユニット６１の上部レール６５，６５からの落下が防止される。
【００６９】
そして、樋支柱１１３，１１３の下端の下板に取り付けた固定ボルト１１８を固定孔１１７ａに挿通して固定ナット１１８ａに緩めに螺入した状態で、上部ユニット６１を上部レール６５，６５の長手方向に摺動させて位置調整を行う。この際、上部ユニット６１は、固定ボルト１１８により連結された上部ユニットベース部材１１７によって上部レール６５，６５の長手方向に向けて摺動自在に案内されるため、位置調整の際における上部レール６５，６５からの脱落が防止される。
【００７０】
位置調整後、所定の設置位置に配置した状態で各固定ボルト１１８を締め上げることで、上部レール６５上部の前後の案内片が、樋支柱１１３，１１３の下端の下板と上部ユニットベース部材１１７とにより上下から強く挟まれ、これにより上部レール６５，６５に対する上部ユニットベース部材１１７、つまり上部ユニット６１の長手方向の移動が規制され、所定位置に固定される。
【００７１】
また、複数の上部ユニット６１それぞれの長さ寸法は全て同一長さとされており、この長さは下部ユニット６０の長さ寸法の変更等に対応して変更するものではなく、各遊技店において一律の長さ寸法とされている。これは、上部ユニット６１が下部ユニット６０とは別体に構成され、しかも上部レール６５，６５が複数の下部ユニット６０の上部に長手方向に横架されるものであるからである。より詳しくは、上部ユニット６１は、主に供給樋４を配設するためのものであり、パチンコ機２の設置間隔の変更等に影響しない部位であるため、下部ユニット６０の長さ寸法の変更等に対応して長さ寸法を変更する必要がないからである。
【００７２】
このように、下部ユニット６０と上部ユニット６１とを別体に構成することで、長さ寸法が同一の１種類の上部ユニット６１を複数製造するだけで済むため、製造コストを低減できるばかりか、長さ寸法の変更が必要な下部ユニット６０を最小限の構成部位で形成して極力小型化することができるため、下部ユニット６０の可搬性も向上する。尚、上部ユニット６１の幅寸法は前述したように下部ユニット６０の幅寸法に対応した幅寸法とされる。
【００７３】
次に、遊技機設置島１の躯体の施工方法について、図１０〜図１３に基づいて説明する。図１０は、（ａ）〜（ｃ）は下部ユニットの設置工程を説明する概略図であり、図１１は、（ａ）（ｂ）は同じく下部ユニットの設置工程を説明する概略図であり、図１２は、（ａ）（ｂ）は上部ユニットの設置工程を説明する概略図であり、図１３は、（ａ）はパチンコ機を奇数台設置する場合の施工方法の一例を示す概略図であり、（ｂ）はパチンコ機を奇数台設置する場合の他の施工方法を示す概略図である。尚、以下の説明において、各下部ユニット６０は６０Ａ、６０Ｂ、６０Ｃ…と図示し、各上部ユニット６１は６１Ａ、６１Ｂ…と図示していくこととする。
【００７４】
まず、遊技機設置島１を構築するにあたって、遊技店における設置スペース状況に応じて、遊技機設置島１の長さ寸法及び幅寸法を決定し、該決定した寸法に応じて、設置するパチンコ機２及び球貸処理機Ｔの台数及びパチンコ機２の配置間隔等を決定する。これに応じて、各下部ユニット６０の長さ寸法及び幅寸法を決定し、前述した連結方法により連結し、予め所定の長さ寸法及び幅寸法の下部ユニット６０及び下部ユニット６０の幅寸法に対応した幅寸法の上部ユニット６１を構成しておく。
【００７５】
次いで、遊技店における床面Ｆ上における遊技機設置島１の設置位置に、前後の下部レール６２，６２を敷設し、水平レベル等を調整しながらアンカーボルト１２０を床面Ｆに打設して下部レール６２，６２を床面Ｆに固定するとともに（図１０（ａ）参照）、固定した下部レール６２，６２の端部から、設置する下部ユニット６０の数に対応する数のベース部材８５を挿通し、各下部レール６２，６２の長手方向に向けて所定間隔おきに配置しておく（図１０（ｂ）参照）。
【００７６】
そして、長手方向の一端側に配置する下部ユニット６０Ａの各下支柱７１の下端に装着された固定板８７を各ベース部材８５の上部に載置し、固定ボルト８６を固定孔８５ａ内に緩く螺入した状態で、下部ユニット６０Ａを下部レール６２，６２に沿って長手方向に摺動して、下部ユニット６０Ａの端部側の下支柱７１を下部レール６２，６２の端部に合わせて位置決めし、固定ボルト８６を締め上げて固定する（図１０（ｃ）参照）。
【００７７】
次いで、次の下部ユニット６０Ｂの各下支柱７１の下端に装着された固定板８７を各ベース部材８５の上部に載置し、固定ボルト８６を固定孔８５ａ内に緩く螺入した状態で、下部ユニット６０Ｂ、６０Ｃ…を下部レール６２，６２に沿って長手方向に摺動して、所定位置に配置していく（図１０（ｃ）参照）。
【００７８】
尚、各下部ユニット６０の長手方向の位置調整を行う際において、固定ボルト８６により連結されたベース部材８５によって下部レール６２，６２の長手方向に向けて摺動案内されるため、位置調整の際における下部レール６２，６２からの脱落が防止されるばかりか、前後方向（幅方向）の位置ずれが防止されるので、下部ユニット６０を長手方向に向けてスライドさせるだけで簡単に位置調整を行うことができる。
【００７９】
このとき、隣り合う下部ユニット６０Ａ，６０Ｂ／６０Ｂ，６０Ｃ…との間に所定間隔、つまり本実施例では下部ユニット６０の長さ寸法Ｌ５と同寸の間隔Ｌ６（Ｌ５＝Ｌ６）を設けて、複数の下部ユニット６０Ｂ，６０Ｃ…を設置し、下部ユニット６０Ａと同様の方法にて固定していく（図１１（ａ）参照）。
【００８０】
次いで、必要な数の下部ユニット６０を設置固定した後、各下部ユニット６０の前後面側から、左右の下支柱７１，７１間に腰部ユニット６４を装着していくとともに、隣り合う下部ユニット６０Ａ，６０Ｂ／６０Ｂ，６０Ｃ…との間にそれぞれ形成された設置用空間部１３０にも、前後面側から躯体間遊技機設置部を構成する腰部ユニット６４を装着していく。すなわち、この設置用空間部１３０の前後面側から装着される腰部ユニット６４は、例えば隣り合う下部ユニット６０Ａ，６０Ｂのうち一方の下部ユニット６０Ａにおける右支柱６７の下支柱７１及び支持管７２と、他方の下部ユニット６０Ｂにおける左支柱６６の下支柱７１及び支持管７２と、を利用して装着される。
【００８１】
より具体的には、図８（ａ）に示されるように、扉枠６３を、下部ユニット６０Ａにおける右支柱６７の下支柱７１と、該下支柱７１に対向配置される下部ユニット６０Ｂにおける左支柱６６の下支柱７１間に嵌合するとともに、繕板１３の下面左右端部を、下部ユニット６０Ａにおける右支柱６７の支持管７２及び下部ユニット６０Ｂにおける左支柱６６の支持管７２それぞれの上面に載置した状態で、扉枠６３の左右の棒材の内側から下支柱７１にタッピングネジ９４を螺入し、腰部ユニット６４を設置用空間部１３０に固定する。
【００８２】
つまり、左右の下部ユニット６０Ａ，６０Ｂ間に形成された設置用空間部１３０は、左右の下部ユニット６０Ａ，６０Ｂそれぞれの躯体の一部（下部ユニット６０Ａにおける右支柱６７と下部ユニット６０Ｂにおける左支柱６６）を利用することにより、下部ユニット６０と同様に左右に支柱６６，６７が配置される躯体構造が形成されるため、設置用空間部１３０に下部ユニット６０を配設した場合と同じように腰部ユニット６４を装着することができる。
【００８３】
さらに、各下部ユニット６０及び各設置用空間部１３０それぞれに装着された各腰部ユニット６４の上面に固定板１３ａを長手方向に向けて載置し、パチンコ機２を設置するための設置部を構成する。
【００８４】
次いで、長手方向に複数設置された各下部ユニット６０Ａ，６０Ｂ，６０Ｃ…における前後の中央支柱７３の上端間に、上部レール６５，６５を長手方向に向けて横架し、各中央支柱７３の上端に固定するとともに、長手方向の端部側から設置する上部ユニット６１の数に対応した数の上部ユニットベース部材１１７を予め挿入し、上部レール６５，６５それぞれの長手方向の所定位置に配置しておく（図１２（ａ）参照）。
【００８５】
尚、上部レール６５，６５を設置用空間部１３０を挟んで隣接する両下部ユニット６０，６０間にわたり配設し、各中央支柱７３の上端を連結することで両下部ユニット６０，６０同士が連結されるので、設置用空間部１３０を設けることによる躯体強度の低下を回避できる。
【００８６】
そして、長手方向に向けて横架された上部レール６５，６５上に上部ユニット６１Ａを設置し、各上部ユニットベース部材１１７と上部ユニット６１の各支持板１００〜１０２の樋支柱１１３，１１３の下端とを合致させ、樋支柱１１３，１１３の下端の下板に取り付けた固定ボルト１１８を固定孔１１７ａに挿通し、固定ナット１１８ａに緩めに螺入する。この状態で、上部ユニット６１Ａを上部レール６５，６５の長手方向に摺動させて位置調整を行う。この際、上部ユニット６１Ａは、固定ボルト１１８により連結された上部ユニットベース部材１１７によって上部レール６５，６５の長手方向に向けて摺動案内されるため、位置調整の際における上部レール６５，６５からの脱落が防止されるばかりか、前後方向（幅方向）の位置ずれが防止されるので、上部ユニット６１Ａを長手方向にスライドさせるだけで簡単に位置調整を行うことができる。
【００８７】
次いで、上部ユニット６１Ａを上部レール６５，６５の端部位置にて位置決めした状態で固定ボルト１１８を締め上げて、上部ユニット６１Ａを上部レール６５，６５の端部位置に固定する。（図１２（ｂ）参照）。
【００８８】
その後、上部ユニット６１Ｂ，６１Ｃ…を上部レール６５，６５上に適宜設置し、上部レール６５，６５上に沿って摺動させることで各上部ユニット６１Ｂ，６１Ｃ…を互いに端部寄りに移動して詰めて連続配置し、それぞれ固定していく。
【００８９】
尚、構成する遊技機設置島１の長手方向の長さ寸法が、上部ユニット６１の長さ寸法の整数倍ではない場合には、中央または長手方向の端部に配置される１つの上部ユニット６１を切断加工して長さ寸法を調整する。この上部ユニット６１の長さ寸法の調整作業は、施工現場にて行ってもよいし、工場等において予め行っておいてもよい。
【００９０】
このようにして遊技機設置島１の躯体を構成した後、各腰部ユニット６４の上部に配置された固定板１３ａと各上部ユニット６１の下連結板１０５との間に、パチンコ機２及び球貸処理機Ｔを設置固定し、また、上部ユニット６１内に供給樋４を傾斜状に配設するとともに、下部ユニット６０及び上部ユニット６１内に、図１にて説明した各種装置や球通路等の種々の付帯設備を配設することで、遊技機設置島１が構成される。
【００９１】
尚、遊技機設置島１に設置するパチンコ機２の台数が奇数である場合、図１３（ａ）に示されるように、例えば複数のうちいずれか１つの下部ユニット６０（ここでは長手方向の端部に配置した下部ユニット６０Ｃ）の長さ寸法を、他の下部ユニット６０Ａ，６０Ｂの長さ寸法Ｌ５の約半分の長さ寸法Ｌ５’とし、１台のパチンコ機２及び球貸処理機Ｔのみを設置可能としておけば対応できる。
【００９２】
また、特に図示はしないが、このように各下部ユニット６０Ａ，６０Ｂの長さ寸法Ｌ５の約半分の長さ寸法Ｌ５’の下部ユニット６０Ｃの配置位置は、遊技機設置島１の長手方向の端部でなくてもよく、長手方向の両端部に配置される下部ユニット６０よりも内側に配置してもよい。
【００９３】
また、特に図示はしないが、長手方向の両端部に配置される下部ユニット６０，６０間に形成されるいずれか１つの設置用空間部１３０を、各下部ユニット６０Ａ，６０Ｂの長さ寸法Ｌ５の約半分の長さ寸法の設置用空間部１３０として形成すれば、上記のようにいずれか１つの下部ユニット６０Ｃの長さ寸法Ｌ５’を他の下部ユニット６０Ａ，６０Ｂの長さ寸法Ｌ５の約半分にすることなく、長さ寸法Ｌ５が全て同一の下部ユニット６０Ａ，６０Ｂ、６０Ｃを配置することで、奇数台のパチンコ機２を設置可能な遊技機設置島を構成することができる。
【００９４】
また、図１３（ｂ）に示されるように、例えば右側に配置される下部ユニット６０Ｂとの間に、他の下部ユニット６０Ａと同寸の間隔Ｌ６の約半分の間隔Ｌ６’を設けて端部用支柱１４０のみを立設し、下部ユニット６０Ｂと端部用支柱１４０との間に形成した設置用空間部１３０’に、１台のパチンコ機２及び球貸処理機Ｔのみを設置可能としておくことでも対応できる。
【００９５】
尚、設置用空間部１３０’に固定する腰部ユニット６４は、施工現場または工場等にて１台分のパチンコ機２及び球貸処理機Ｔの長さ寸法に対応した長さ寸法に加工したものを使用する。
【００９６】
以上説明したように、本発明実施例の遊技機設置島１にあっては、下部ユニット６０がない設置用空間部１３０にも、隣り合う左右の下部ユニット６０の左支柱６６及び右支柱６７を利用して腰部ユニット６４を装着でき、これによりパチンコ機２を設置可能となるため、設置するパチンコ機２の数に対して、配置する下部ユニット６０の数を極力低減できるため、コストを効果的に低減できる。
【００９７】
また、各下部ユニット６０は、連結管６８と被連結管６９との嵌合深さ、つまり重ね合わせ幅を調整して連結することで、左支柱６６と右支柱６７との離間幅Ｌ５、つまり下部ユニット６０の長手方向の長さを遊技店におけるパチンコ機２の設置条件に対応した長さとすることができ、このように構成されてなる下部ユニット６０を複数設置するだけで、手間をかけずに、かつ、熟練の作業を要することなく、未熟な作業者でも簡単に躯体を構成することができるため、施工現場における作業負担が効果的に軽減される。
【００９８】
また、フレーム連結管７６とフレーム被連結管７７との嵌合深さ、つまり重ね合わせ幅を調整して連結することで、前フレーム７４と後フレーム７５との離間幅Ｌ４、つまり下部ユニット６０の幅方向の長さを遊技店における設置条件に対応した長さに容易に変更できる。
【００９９】
また、床面Ｆ上に下部レール６２，６２が敷設され、該下部レール６２，６２上に下部ユニット６０を長手方向に向けて摺動自在に立設できるようにしたため、各下部ユニット６０の長手方向の設置位置調整作業等を、下部レール６２，６２に沿って下支柱７１を摺動させることで簡単に行うことができる。
【０１００】
また、パチンコ機２に対してパチンコ球を供給する供給樋４を配設するための上部ユニット６１が、並べて設置された各下部ユニット６０の上部に横架される上部ユニット設置部材としての上部レール６５，６５に設置されることで、下部ユニット６０の長さに応じて上部ユニット６１の長さを変更する必要がないため、製造コストが低減される。さらに、上部ユニット設置部材をレール部材としたことで、この下部ユニット６０の上部に設置される上部ユニット６１の長手方向の設置位置調整作業を、上部レール６５，６５に沿って上部ユニット６１を摺動させることで簡単に行うことができるため、作業負荷が軽減される。
【０１０１】
尚、本実施例では、複数の下部ユニット６０の上部間に横架された上部レール６５，６５上に摺動自在に上部ユニット６１が設置されるように構成されていたが、例えば図１４に示されるように、各下部ユニット６０Ａ，６０Ｂ…上に、各上部ユニット６１を固定的に設置するようにしてもよい。この場合、例えば上部ユニット６１の下面側に、４本の中央支柱７３の上端から内部に嵌合可能な嵌合部１１４ａを下向きに突設し、これら嵌合部１１４ａを各中央支柱７３の上端に嵌合させることで、上部ユニット６１を固定的に設置することができる。
【０１０２】
尚、図１４に示す上部ユニット６１は、下部ユニット６０の長さ寸法と設置用空間部１３０の長さ寸法とを合算した長さ寸法と同寸の長さ寸法とされているが、１つの下部ユニット６０の長さ寸法に対応した長さ寸法としてもよい。この場合、設置用空間部１３０の上部に設置する上部ユニット６１は、下部ユニット６０Ａの右支柱６７の中央支柱７３と下部ユニット６０Ｂの右支柱６７の中央支柱７３とをそれぞれ利用して設置すればよい。
【０１０３】
以上、本発明の実施例を図面により説明してきたが、具体的な構成はこれら実施例に限られるものではなく、本発明の要旨を逸脱しない範囲における変更や追加があっても本発明に含まれる。
【０１０４】
例えば、前記実施例の遊技機設置島１の下部には、パチンコ機２から排出されたパチンコ球を受けて揚送研磨装置２５に誘導する流下溝９Ｌ，９Ｒが設置されていたが、この流下樋９Ｌ，９Ｒの替わりに、パチンコ機２から排出されたパチンコ球を貯留可能、かつ、貯留された球を揚送研磨装置２５に供給可能に構成された貯留タンクを配設してもよい。
【０１０５】
また、前記実施例における下部ユニット６０の左支柱６６及び右支柱６７は、管状部材にて構成されていたが、例えば金属材や合成樹脂材からなる板材等にて構成されていてもよい。
【０１０６】
具体的には、例えば１つの下部ユニット６０及び上部ユニット６１で単独の遊技機設置島を構成する場合には、左支柱６６及び右支柱６７全体をそれぞれ１枚板にて構成してもよい。
【０１０７】
また、例えば遊技機設置島１の下部に長手方向にわたり流下溝９Ｌ，９Ｒや球貯留タンク等が配設される遊技機設置島の場合には、これら流下溝９Ｌ，９Ｒや球貯留タンク等に干渉しない下部ユニット６０における上半部、つまり前後の中央支柱７３，７３間を前後連結管７８を有しない１枚板にて構成してもよい。
【０１０８】
また、前記実施例では、連結管６８及び被連結管６９は管状部材にて構成されていたが、互いに長手方向に重ね合わした状態で連結できれば、例えば帯状の金属片等の板状部材にて構成されていてもよい。尚、重ね合わせ方向は、上下方向や水平方向等であってもよく、特に限定されるものではない。
【０１０９】
また、連結管６８の左支柱６６への固定及び被連結管６９の右支柱６７への固定は溶接固定に限らず、ボルト固定等であってもよい。また、下部ユニット６０を構成する各部材は、金属材にて形成したものに限られるものではなく、合成樹脂材や木材等で形成したものであってもよい。
【０１１０】
尚、連結管６８及び被連結管６９は、左支柱６６及び右支柱６７における繕板１３を載置可能な所定高さ位置に突設されていたが、例えば下支柱７１や中央支柱７３の所定高さ位置から突設されていてもよいし、上下方向にわたり複数本設けられていてもよい。
【０１１１】
また、前記実施例では、連結管６８と被連結管６９とが直接連結されるようになっていたが、例えば連結管６８と被連結管６９とが、該連結管６８及び被連結管６９に両端がそれぞれ嵌合可能な中央連結管（図示略）等を介して連結されていてもよく、この場合、例えば連結管６８側に前記中央連結管の一端が固定されてこれら両者により連結部が構成され、該連結部に対して被連結部としての被連結管６９が連結される構成となる。
【０１１２】
また、前記実施例では、下部ユニット６０は下部レール６２，６２を介して床面Ｆ上に立設されるようになっていたが、床面Ｆ上に直接立設してもよい。
【０１１３】
また、前記実施例では、下部ユニット６０と上部ユニット６１とが別体で構成されていたが、両者が一体的に組み込まれた躯体ユニットとしてもよい。
【０１１４】
また、前記実施例では、下部ユニット６０は前後面にそれぞれパチンコ機２を所定台（２台）ずつ設置可能に構成されていたが、前後面のうちいずれか１面にのみ設置可能な構成としてもよい。
【０１１５】
また、前記実施例では、設置する各下部ユニット６０の長さ寸法Ｌ５と設置用空間部１３０の間隔Ｌ６とを同寸法（Ｌ５＝Ｌ６）としていたが、下部ユニット６０の長さ寸法Ｌ５と設置用空間部１３０の間隔Ｌ６とは必ずしも同寸法でなくてもよく、例えば設置用空間部１３０の間隔Ｌ６をパチンコ機２の１台分または３台分の寸法としてもよい。
【０１１６】
また、前記実施例では、設置する各下部ユニット６０の長さ寸法Ｌ５（または幅寸法Ｌ４）は全て同一としていたが、必ずしも同一とする必要はなく、個々に異なる長さ寸法（または幅寸法）としてもよい。
【０１１７】
また、下部ユニット６０は、長さ寸法の調整が不能で、かつ、腰部ユニット６４や上部ユニット６１等の全てが組み付けられた状態で遊技店に搬入してもよく、この場合にも、これら各種部位が組みつけられた下部ユニット６０を、隣り合う下部ユニット６０との間に間隔を設けて設置し、設置された隣接する左右の下部ユニット６０間に躯体間遊技機設置部である腰部ユニット６４を固定することで、遊技機設置島の躯体を構成してもよい。
【０１１８】
また、前記実施例では、遊技機が設置される遊技機設置島の一例として、複数のパチンコ機２が設置される遊技機設置島１を記載したが、１台のパチンコ機２が設置される１つの躯体ユニットからなる単独の遊技機設置島であってもよい。
【０１１９】
さらに、遊技機の一例としてパチンコ機２を記載したが、例えば遊技媒体としてのメダルやパチンコ球等を用いて賭数を設定することによりゲームが開始可能となるスロットマシン遊技機等であってもよい。
【図面の簡単な説明】
【０１２０】
【図１】本発明が適用された実施例としての遊技機設置島１の内部構造を示す断面図である。
【図２】図１のＡ−Ａ断面図である。
【図３】遊技機設置島の躯体構造を示す分解斜視図である。
【図４】下部ユニットを示す斜視図である。
【図５】（ａ）は下部ユニットの長さを調整する状況を示す概略図であり、（ｂ）は横フレームの連結状態を示す拡大断面図である。
【図６】下部ユニットの幅寸法を調整する状況を示す概略図であり、（ｂ）は前後フレームの連結状態を示す拡大断面図である。
【図７】（ａ）はレールに対する支柱の固定構造を示す斜視図であり、（ｂ）はレールに対する支柱の固定構造を示す断面図である。
【図８】（ａ）は下部ユニットの腰部に腰部ユニットが装着された状態を示す正面図であり、（ｂ）は（ａ）のＢ−Ｂ断面図である。
【図９】（ａ）は上部ユニットを示す斜視図であり、（ｂ）は上部ユニットの幅寸法を調整する状況を示す側面図である。
【図１０】（ａ）〜（ｃ）は下部ユニットの設置工程を説明する概略図である。
【図１１】（ａ）（ｂ）は同じく下部ユニットの設置工程を説明する概略図である。
【図１２】（ａ）（ｂ）は上部ユニットの設置工程を説明する概略図である。
【図１３】（ａ）はパチンコ機を奇数台設置する場合の施工方法の一例を示す概略図であり、（ｂ）はパチンコ機を奇数台設置する場合の他の施工方法を示す概略図である。
【図１４】本発明の変形例としての上部ユニットの設置方法を示す斜視図である。
【符号の説明】
【０１２１】
１                遊技機設置島
２                パチンコ機
６０              下部ユニット
６１              上部ユニット
６６              左支柱
６７              右支柱
６８              連結管
６９              被連結管
７４              前フレーム
７５              後フレーム
７６              フレーム連結管
７７              フレーム被連結管
１３０，１３０’  設置用空間部
【図１】
2008220589.tif 000003
【図２】
2008220589.tif 000004
【図３】
2008220589.tif 000005
【図４】
2008220589.tif 000006
【図５】
2008220589.tif 000007
【図６】
2008220589.tif 000008
【図７】
2008220589.tif 000009
【図８】
2008220589.tif 000010
【図９】
2008220589.tif 000011
【図１０】
2008220589.tif 000012
【図１１】
2008220589.tif 000013
【図１２】
2008220589.tif 000014
【図１３】
2008220589.tif 000015
【図１４】
2008220589.tif 000016